(57)【特許請求の範囲】
【請求項１】
遊技球の発射強度を調整するために操作者が操作可能な操作ハンドルを有する遊技機であって、
前記操作ハンドルは、
遊技機の本体の前面に取り付けられる平板部から前側へ突設される円筒状の支持部と、該支持部の前側端部から略直角に延出される連結部と、該支持部よりも大径であると共に該連結部と連続して前側へ突出する保持部と、から構成されるハンドル保持部と、
前記保持部に固定的に保持されると共に操作者が回転操作する回転部材を回転可能に保持する把持部材と、
前記ハンドル保持部に内設されて前記回転部材の回転に基づき抵抗値を増減させる可変抵抗器と、
前記回転部材と前記把持部材との間に配置されて回転部材を非操作位置に向かって付勢する戻しコイルバネと、
前記支持部の内側側面に設けられた第１の切り込み部又は薄肉部と、
前記連結部に設けられた第２の切り込み部又は薄肉部と、を備え、
前記第１の切り込み部又は薄肉部を壊すことにより前記可変抵抗器を取り出し可能であると共に、前記第２の切り込み部又は薄肉部を壊すことにより前記戻しコイルバネを取り出し可能であることを特徴とする遊技機。
【請求項２】
遊技機の本体から排出された遊技球を受ける上部受け皿の下方に配設される下皿を有する遊技機であって、
前記下皿は、前記遊技機の本体の前面に取り付けられる平板部から遊技者側へ突出するように平板部と一体に形成されると共に、球抜き用の開口と、該開口を開閉する閉じ蓋と、該閉じ蓋を閉鎖方向へ付勢する閉鎖用バネと、該閉鎖用バネを該閉じ蓋に係合させる取り付けピンと、を備え、
前記下皿の下面において、前記開口と前記閉じ蓋と前記閉鎖用バネと前記取り付けピンとを囲う切り込み部又は薄肉部が設けられることを特徴とする遊技機。
【発明の詳細な説明】
【０００１】
【発明の属する技術分野】
本発明は、例えばパチンコ遊技機等の遊技機に関し、特に、再利用可能部品、及び、再利用させるための取出部品の取り出しを容易にし、リサイクルを促進することができる遊技機に関するものである。
【０００２】
【従来の技術】
近年のパチンコ遊技機等の遊技機においては、役物の制御を含む各種機器の制御に非常に多くの電子制御回路が組み込まれ、役物制御回路、図柄表示回路、或いは賞球払い出し制御回路などの各種回路も組み込まれる。そして、このような回路には、マイクロコンピュータ等を含む電子制御回路が主流となり、その構造も非常に複雑なものになってきている。そのため、パチンコ遊技機等の遊技機の遊技演出は、非常に多彩なものとなり、近年の遊技機は極めて興趣を増大させるものとなる。
その反面、同様な遊技機が遊技店に多数設置されると、遊技者の人気の移り変わりによって、流行の隆盛下降が激しくなる。そのため、人気が無くなって商品価値が少なくなった遊技機については、早く処理処分されることが多くなったが、ゴミ問題の関係上、その対策が必要となった。しかし、パチンコ遊技機等の遊技機の場合、遊技機内部にリサイクルできる部品等がまだあるにもかかわらず、捨てるのが現状である。
【０００３】
【発明が解決しようとする課題】
近年、ゴミ問題の関係上、パチンコ遊技機等の遊技機について、更にリサイクルの要望が高まったが、リサイクルの場合、パチンコ遊技機等の遊技機を解体して、パチンコ球通路に用いられているプラスチック材やセルロイド材と、バネ等の金属部品、その他の電子部品とを分別する必要がある。しかし、バネ等の金属部品、その他の電子部品をパチンコ遊技機等の遊技機内部から取り除くことは、極めて手間の掛かる作業であって、リサイクル促進の障害となっていた。
本発明は、前記従来の問題点を解消するためになされたものであり、例えばパチンコ遊技機等の遊技機内に収納されるバネ等の金属部品、電子部品等のその他の再利用可能部品、及び、再利用させるための取出部品の取り出しを容易にし、リサイクルを促進することができる遊技機を提供することを目的とする。
【０００４】
【課題を解決するための手段】
前記目的を達成するため請求項１に係る発明によれば、遊技球の発射強度を調整するために操作者が操作可能な操作ハンドルを有する遊技機であって、前記操作ハンドルは、遊技機の本体の前面に取り付けられる平板部から前側へ突設される円筒状の支持部と、該支持部の前側端部から略直角に延出される連結部と、該支持部よりも大径であると共に該連結部と連続して前側へ突出する保持部と、から構成されるハンドル保持部と、前記保持部に固定的に保持されると共に操作者が回転操作する回転部材を回転可能に保持する把持部材と、前記ハンドル保持部に内設されて前記回転部材の回転に基づき抵抗値を増減させる可変抵抗器と、前記回転部材と前記把持部材との間に配置されて回転部材を非操作位置に向かって付勢する戻しコイルバネと、前記支持部の内側側面に設けられた第１の切り込み部又は薄肉部と、前記連結部に設けられた第２の切り込み部又は薄肉部と、を備え、前記第１の切り込み部又は薄肉部を壊すことにより前記可変抵抗器を取り出し可能であると共に、前記第２の切り込み部又は薄肉部を壊すことにより前記戻しコイルバネを取り出し可能であることを特徴とする。
【０００５】
また請求項２に記載の発明によれば、遊技機の本体から排出された遊技球を受ける上部受け皿の下方に配設される下皿を有する遊技機であって、前記下皿は、前記遊技機の本体の前面に取り付けられる平板部から遊技者側へ突出するように平板部と一体に形成されると共に、球抜き用の開口と、該開口を開閉する閉じ蓋と、該閉じ蓋を閉鎖方向へ付勢する閉鎖用バネと、該閉鎖用バネを該閉じ蓋に係合させる取り付けピンと、を備え、前記下皿の下面において、前記開口と前記閉じ蓋と前記閉鎖用バネと前記取り付けピンとを囲う切り込み部又は薄肉部が設けられることを特徴とする。
【０００６】
【０００７】
【０００８】
【０００９】
【００１０】
【００１１】
【００１２】
【発明の実施の形態】
以下、本発明に係るパチンコ機について、本発明を具体化した実施形態に基づき図面を参照しつつ詳細に説明する。先ず、実施形態に係るパチンコ機の全体構成について図１に基づき説明する。図１は実施形態に係るパチンコ機全体を示した正面図である。図２は実施形態に係るパチンコ機全体を示した背面図である。
【００１３】
図１において、パチンコ機１は、いわゆる第一種パチンコ機である。パチンコ機１は、後述する入賞口、特別図柄表示装置、電動役物及び、ゲート等の各種構造物が遊技盤２上に配設されている。その遊技盤２の下には、不図示の樋を介して排出される賞球を受ける上部受け皿３が、スピーカ３ａを内蔵するプレート４に配設されている。そして、その上部受け皿３の下には、下皿５が配設される。また、上部受け皿３のパチンコ球は、上部受け皿３に連通する不図示の球送り機構を介して、ハンドル６に連結された不図示の発射装置へ送られるよう構成されている。
【００１４】
一方、遊技盤２の前側は、鋼板やステンレス等の金属製のガラス扉９により被覆されている。このガラス扉９は、枠体の前側にヒンジ部材等を介して開閉自在に取り付けられている前面枠に開閉自在に取り付けられている。また、ガラス扉９には開口部を有する鋼板やステンレス等の金属製のガラス保持枠がスポット溶接等により固着されており、かかるガラス保持枠に装着された２枚のガラスを通して遊技領域を見ることができる。また、ガラス扉９の上部には、遊技中のエラーを表示するエラー表示ランプ７やガラス扉９の上部及び右側には、「当たり」を表示する当たり表示ランプ８、８が取り付けられている。また、遊技盤２の両肩部には、賞球及び球切れ表示ランプ１０、１０が設けられている。
【００１５】
次に、パチンコ機１における遊技盤２上の遊技領域Ａの構成について説明する。この遊技領域Ａは、所定厚さの板材からなる遊技盤２上に入賞口等の各構造物が所定の位置に取り付けられ、それを囲むように環状のレール１１が取り付けられている。このレール１１は、発射されたパチンコ球を遊技領域Ａ内に案内する案内路１５を構成しており、右肩部にはレール１１に沿って打ち込まれるパチンコ球の進行を制限するための段差部１６を有する。そして、その段差部１６には軸支された返しゴム（図示されていない）が配設されている。
また、遊技領域Ａのほぼ中央には、特別図柄表示装置である液晶表示器１２が取り付けられている。この液晶表示器１２は、左、中、右に３つの変動図柄を表示する液晶パネルであって、遊技盤２の裏面側から取り付けられている。
【００１６】
液晶表示器１２の上方の中心線上には、入賞口１８が設けられている。入賞口１８の上には、キャラクタ図柄が描かれている。この入賞口１８に入賞すると、所定の個数の賞球が上部受皿３に排出される。そして、液晶表示器１２の下方の中心線上には、第１種始動口１９が設けられている。この第１種始動口１９に入賞すると液晶表示器１２に表示されている変動図柄群が変動する。
【００１７】
また、変動図柄が変動中に第１種始動口１９に入賞した場合には、入賞個数が４個になるまでＲＡＭの保留カウンタ（図示せず）に記憶されて変動確定回数として保留される。そして、液晶表示器１２の下端部には、この保留カウンタに記憶されているカウント値を表示するため、４個の保留ＬＥＤ１３が設けられている。
【００１８】
さらに、液晶表示器１２の下方には、下方入賞口である大入賞口１７が設けられている。大入賞口１７は、液晶表示器１２において変動図柄が揃って大当たりが発生したとき等に開閉する扉構造を有している。
【００１９】
また、図２に示すパチンコ機１においては、木製の外枠２２に対して木製の内枠２３が、ヒンジ部材等を介して開閉自在に取り付けられている。また、この内枠２３のほぼ中央部には、遊技盤２が着脱可能となるように、鉄板等の金属製の機構盤２４が取り付けられている。そして、この機構盤２４の片側には合成樹脂製の機構セット盤２５が、開閉自在に蝶番により取り付けられている。
【００２０】
パチンコ機１の裏側上部には、上方に開口した賞球タンク２６が機構セット盤２５に固定されている。賞球タンク２６の直上には、賞球の補給装置２７が配設され、吐出部２７Ａが垂直に降りている。賞球タンク２６は、傾斜した底面に連通孔（不図示）が形成され、その連通孔の下方にはパチンコ球を２列に整列流出し得る傾斜したタンクレール２８が取り付けられている。
【００２１】
また、賞球ケース３２へパチンコ球を案内する賞球案内部２９内には、タンクレール２８の下流側のパチンコ球を案内する２列の賞球通路３０が形成されている。
また、賞球ケース３２には、各タンクレール２８、賞球通路２８を通過するパチンコ球の数を確認する確認スイッチ、パチンコ球の送り出しを調節する払い出しソレノイド等（いずれも不図示）が内装されている。そして、これら賞球タンク２６、タンクレール２８、賞球案内部２９、賞球ケース３２、確認スイッチ、及び払い出しソレノイド等により賞球払出システムが構成されている。
【００２２】
そして、賞球ケース３２の下流側には、パチンコ球の排出部が形成され、排出路３３及び下部受け皿満タンスイッチを内装した排出路３４が、下端部下方に開口して形成されている。また、この開口部の下方には、上部受け皿３から溢れた賞球やファール球を受けるための、下皿５（図３参照）に案内する下部受皿ボックス３５が、ナットによりネジ止めされて内枠２３の裏側に取り付けられている。
また、機構セット盤２５上には、基板ボックス３６Ａ内に配置される主基板３６が、遊技盤裏面を覆う透明なＡＢＳ等の樹脂製のセンターカバー３７に装着された状態で固定されている。この主基板３６には、パチンコ機１の遊技動作などを制御する制御回路が構成されている。
【００２３】
また、主基板３６の下側には、コントロール基板が装着されたコントロールボックス３８が取り付けられている。このコントロール基板は、賞球払出等の制御を行うための制御回路を構成している。
【００２４】
また、コントロールボックス３８の下側には、発射装置に供給されるパチンコ球を打撃する槌４２が設けられている。この槌４２の近傍には、槌４２を不図示のカム機構等を介して駆動する電動機ユニット４１が設けられている。この電動機ユニット４１は、発射モータ４１Ａ等から構成されており、操作ハンドル６の内部に取り付けられる可変抵抗器５０を介して発射モータ４１Ａへの供給電力が調節されるので、この供給電力の調節によって、槌４２によるパチンコ球の発射勢を強めたり、弱めたりすることが可能なように構成されている。
【００２５】
そして、遊技者が操作ハンドル６における回転部材５４の回動量を調節することによって、可変抵抗器５０の抵抗値が増減されるので、遊技者が操作ハンドル６における回転部材５４を所定量だけ回動させると、槌４２によるパチンコ球の発射勢の加減を適宜行うことができる。
さらに、機構セット盤２５の上方角部（図２中、右上角部）には、中継基板４０が設けられている。この中継基板４０は、パチンコ機１とホールコンピュータをつなぐ基板である。
【００２６】
次に、下皿５（受け皿）と一体に形成された平板部とハンドル６との連結構造について、図３及び図４を参照して説明する。図３は下皿５及びその周辺構成を取り出して示す上面図、図４は下皿５の要部下面図である。図５はハンドル６の拡大断面図である。
【００２７】
図３において、下皿５の右側には、下皿５と連続して一体形成された平板部５１が設けられている。その平板部５１には、ハンドル６が配設されている。これら下皿５及び平板部５１は、ＡＢＳ樹脂等から一体形成されている。
【００２８】
この下皿５の遊技者側には、図３及び図４に示すように、球抜き用の操作用取っ手部５ａが設けられており、この操作用取っ手部５ａは、下皿５に設けられたパチンコ球抜き用の開口５ｂの閉じ蓋５ｃを開放させたり、閉じたりできる。そして、下皿５内部の閉じ蓋５ｃには、取り付けピン５ｅ及び取り付けピン５ｆを介して、閉鎖用バネ５ｄが係合するように取り付けられている。そのため、遊技者が操作用取っ手部５ａをハンドル６側に向かって移動させ、閉じ蓋５ｃを開放させると、閉鎖用バネ５ｄが、閉じ蓋５ｃを閉じる方向に付勢するので、遊技者が操作用取っ手部５ａから手を外すと、閉じ蓋５ｃがパチンコ球抜き用の開口５ｂを閉じることができる。
そして、遊技者が操作用取っ手部５ａをハンドル６側に向かって移動させるように操作すると、下皿５に設けられた開口５ｂを介してパチンコ球を落とすことができ、パチンコ球を下皿５の下方に置いた受け皿（図示せず）に入れることができる。
【００２９】
この場合、下皿５の下面には、図４に示すように、開口５ｂ、閉じ蓋５ｃ、閉鎖用バネ５ｄ、取り付けピン５ｅ及び取り付けピン５ｆ全体を囲うように、そのカバー体に形成した切り込み部Ｄ１が設けられている。そのため、パチンコ遊技機１を解体して、例えば閉鎖用バネ５ｄ（弾性部材）等の金属部品をリサイクルする場合であっても、切り込み部Ｄ１をハンマ等で叩いて壊す際に、切り込み部Ｄ１によってカバー体の機械的強度が弱いので、例えば下皿５内に収納される閉鎖用バネ５ｄ等の金属部品の再利用可能部品を容易に取り出すことができる。
ここで取出容易部としては、閉鎖用バネ５ｄ等の再利用可能部品を、パチンコ遊技機１を解体して容易に取り出すことができるように、切り込み部Ｄ１の周囲のカバー体に比べて、機械的な強度が弱い部分であれば良く、カバー体に例えば薄肉部等を形成してもよい。
このような切り込み部Ｄ１等からなる取出容易部は、下皿５の下面側といった遊技者側から隠れた部分に設けられているので、遊技者は、切り込み部Ｄ１等からなる取出容易部に気が付かずに、遊技の際にパチンコ遊技機１内に収納される閉鎖用バネ５ｄ等の金属部品を取り出すといった行為はできない。
【００３０】
また、操作ハンドルとしてのハンドル６は、図５に示すように、平板部５１に形成されたハンドル保持部５２に対して、把持部材５３を固定的に保持させるとともに、把持部材５３にて回転部材５４を回転可能に設けることにより構成されている。
ここに、ハンドル保持部５２は、平板部５１の前面側（図５の下側、すなわち、遊技者側）に向かって突出形成された円筒状の支持部５５（カバー体）と、支持部５５の径よりも大径を有し支持部５５に連続して形成される保持部５６とから構成されており、この保持部５６は把持部材５３を固定的に保持する。
そして、支持部５５と保持部５６とを連結する連結部５７は、支持部５５の周囲に存在し、支持部５５の周囲に渡って平板部５１との間の距離Ｌは、略同一距離に形成されているので、ハンドル６を握る際に、遊技者は手首を不必要に曲げることなく自然な姿勢で操作できて長時間に渡って疲れることなく遊技を楽しむことが可能となる。
【００３１】
また、ハンドル保持部５２の内部において、電子部品としての可変抵抗器５０が、図示しない固定壁により固定されている。かかる可変抵抗器５０は、把持部材５３側に突出する回転可能な軸５８を有し、可変抵抗器５０からは平板部５１側に導出された３本の信号線５９が設けられている。
ここに、可変抵抗器５０は、軸５８の回転量に基づき抵抗値が変化し、このように変化された抵抗値の信号が信号線５９を介して、前記電動機ユニット４１に出力される。そして、電動機ユニット４１に対して、可変抵抗器５０における抵抗値の変化を示す信号が出力されると、その抵抗値変化に応じて発射モータ４１Ａへの供給電力が調整されるので、槌４２により打撃されるパチンコ球の発射勢を強めたり、弱めたりできる構成となっている。
更に、把持部材５３における内部球面の略頂部付近から支持軸６０が一体に形成されており、この支持軸６０は、図５に示すように、その中心線から左側に向かって数度程度（５度前後）傾斜されている。
【００３２】
また、回転部材５４は、その外周に、手の指の長さ等に合致させるとともに指を引っ掛けるための複数個（図５には４個が示されている）の引掛部５４Ａ、５４Ｂ、５４Ｃ及び５４Ｄが一体に形成されている。また、回転部材５４の板状部６２における略中央位置からは、円筒部６１が把持部材５３側に向かって突出形成されている。
ここに、円筒部６１は、回転部材５４の板状部６２に対して直角方向に突出されている。また、円筒部６１の内部には、把持部材５３の支持軸６０が回転可能に挿嵌されている。そして、回転部材５４は、支持軸６０が数度程度傾斜されていること、及び、円筒部６１が板状部６２と直角方向に突出されていることに基づき、平板部５１の表面に対して数度傾斜した状態で把持部材５３に回転可能に支持される。
【００３３】
そして、回転部材５４の板状部６２には、前記した可変抵抗器５０の軸５８が固定されており、回転部材５４が回転されると軸５８も回転されるので、回転部材５４の回転量に基づき、前記したように槌４２のパチンコ球の発射勢を強めたり、弱めたりできる。その結果、既述したごとく、遊技者は槌４２によるパチンコ球の発射勢を加減することが可能となる。
【００３４】
また、回転部材５４と把持部材５３との間には、戻しコイルバネ６３が配置されている。即ち、図５に示すように、戻しコイルバネ６３の一端は、回転部材の板状部６２に固定されており、また、他端は、把持部材５３の支持軸６０等に固定されている。かかる戻しコイルバネ６３は、回転部材５４を非操作位置（回転操作されていない位置）に向かって常時付勢しており、回転部材５４が回転された後に回転部材５４から指が離されると、その捻り弾性力に基づき回転部材５４を非操作位置まで戻す作用を行う。
【００３５】
この場合、ハンドル６の側面には、図５に示すように、可変抵抗器５０等を取り出すように、そのカバー体に形成した切り込み部Ｋ１が設けられている他に、ハンドル６の底面には、戻しコイルバネ６３等を取り出すように、そのカバー体に形成した切り込み部Ｋ３が設けられている。
そのため、パチンコ遊技機１を解体して、信号線５９を切断して可変抵抗器５０を取り出し、または、戻しコイルバネ６３を取り出して、可変抵抗器５０または戻しコイルバネ６３をリサイクルする場合であっても、切り込み部Ｋ１、Ｋ３をハンマ等で叩いて壊す際に、切り込み部Ｋ１、Ｋ３によって、カバー体の機械的強度がその周囲のカバー体より弱いので、ハンドル６内に収納される可変抵抗器５０等の電子部品または戻しコイルバネ６３等の金属部品の再利用可能部品を、容易に取り出すことができる。
このような切り込み部Ｋ１、Ｋ３等からなる取出容易部は、下皿５の下面側といった遊技者側から隠れた部分に設けられているので、遊技者は、切り込み部Ｋ１、Ｋ３等からなる取出容易部に気が付かずに、遊技の際にハンドル６内に収納される可変抵抗器５０または戻しコイルバネ６３等の金属部品を取り出すといった行為はできない。
【００３６】
このように構成されたハンドル６を操作する場合、回転部材５４の各引掛部５４Ａ乃至５４Ｄに指を引っかけ、戻しコイルバネ６３の弾性力に抗して回転部材５４を時計方向に回転する。このとき、回転部材５４は、平板部５１に対して数度程度傾斜した状態で、把持部材５３に回転可能に支持されているので、手首を不必要に曲げることなく自然な姿勢で操作することができる。これにより、遊技者は長時間に渡って疲れることなく、遊技を楽しむことができるものである。尚、回転部材５４から指を離すと、回転部材５４は、戻しコイルバネ６３の捻り弾性力により、元の非操作位置まで反時計方向に回転される。
また、パチンコホールにおいてパチンコ機１、特に、ハンドル６及びその周辺部分の清掃を行う場合、ハンドル保持部５２を構成する支持部５５と保持部５６との連結部５７は、支持部５５の周囲に渡って平板部５１から一定の距離Ｌだけ離間されているので、雑巾等の清掃具を支持部５５の周囲に十分入り込ませることができる。この結果、支持部５５の周囲の全体に渡って均一に且つ容易に清掃することができる。
【００３７】
また、他の実施の形態としての取出容易部としては、金属部品等の再利用可能部品の取り出しを容易にするため、周囲のカバー体に比べて、機械的な強度が弱い部分を形成しても良く、図６に示すように、カバー体に例えば薄肉部等を形成してもよい。具体的には、ハンドル６の側面には、可変抵抗器５０を取り出すように、薄肉部Ｋ２が設けられている他に、ハンドル６の底面には、戻しコイルバネ６３を取り出すように、薄肉部Ｋ４が設けられているので、この実施形態においても、前記実施形態で得られる効果と同一の効果を得ることができる。この場合、薄肉部Ｋ２等の取出容易部は、ハンドル６のパチンコ遊技機１側に設けられたので、例えば遊技者が、薄肉部Ｋ２等の取出容易部に気が付かずに、遊技の際にハンドル６内に収納されるバネ等の金属部品、電子部品等のその他の再利用可能部品を取り出すといった行為をすることがない。
尚、この実施形態に係るパチンコ遊技機１に採用されるハンドル６は、基本的に、前記実施形態のハンドル６の構成と同様の構成を有しているので、前記実施形態におけると同一の部材等については同一の番号を付して説明を省略する。
これら薄肉部Ｋ２及び薄肉部Ｋ４の厚さとしては、周囲のカバー体に比べて、半分程度であればよい。また、その薄くなっている薄肉部Ｋ２及び薄肉部Ｋ４は、周囲のカバー体と区別できないのが望ましい。遊技者が取出容易部に気が付くことがないように、操作ハンドルの遊技機側または受け皿下面側に設けられた取出容易部の表面に、目隠し用のテープ等を付着してもよい。更に、パチンコ遊技機１を解体して取り出しを容易にするための、取出容易部としての例えばジグ等の係止部を形成して、係止部にジグ等を係止させた状態で、ジグ等をハンマー等により殴打してカバー部材を破壊してもよい。
【００３８】
以上説明した通り、これら実施形態に係るパチンコ遊技機１では、下皿５の下面には、開口５ｂ、閉じ蓋５ｃ、閉鎖用バネ５ｄ、取り付けピン５ｅ及び取り付けピン５ｆ全体を囲うように、その下皿５のカバー体に形成した切り込み部Ｄ１等の取出容易部が設けられているので、かかる切り込み部Ｄ１は、周囲のカバー体の機械的強度に比べてその機械的強度が弱く、閉鎖用バネ５ｄ等の金属部品を容易に取り出すことができる。
また、ハンドル６には、可変抵抗器５０または戻しコイルバネ６３を取り出すように、そのカバー体に形成した切り込み部Ｋ１及びＫ３が設けられているので、かかる切り込み部Ｋ１及びＫ３は、その周囲のカバー体の機械的強度に比べて機械的強度が弱く、可変抵抗器５０または戻しコイルバネ６３を容易に取り出すことができる。
【００３９】
尚、本発明は、前記各実施形態に限定されるものではなく、本発明の要旨を逸脱しない範囲内で種々の改良、変形が可能であることは勿論である。
例えばハンドル６内には、スイッチ等の電子部品が装着されている場合があるので、その電子部品等を再利用してもよい。また、表示装置として機能するカバー体に覆われるＬＥＤを再利用してもよいし、また、スピーカ３ａ等を再利用してもよい。また、前記実施形態では、受け皿は賞球のみを受ける態様であったが、貸し球を受けられるように、貸し球供給装置をパチンコ遊技機１に併設してもよい。更に、前記実施形態は、パチンコ遊技機において具体化したが、それ以外の遊技機で具体化しても何ら構わない。また、取出容易部を形成した部分は、必ずしもハンドル６または下皿５に限定される訳ではない。
再利用可能部品としては、バネ等の金属部品、電子部品等のその他の部品等のそのままリサイクルできる部品の他に、例えばプラスチック材やセルロイド材からなる部品であっても良い。また、再利用させるための取出部品としては、遊技機全体のリサイクルをする場合に、例えば破砕溶融するプラスチック材等からなる部品よりも、先に取り出した方が望ましい、例えば可燃性部品等の部品であっても良い。また、その取出部品は、可燃性部品以外でも良い。
【００４０】
【発明の効果】
以上説明した通り、請求項１に係る発明によれば、遊技球の発射強度を調整するために操作者が操作可能な操作ハンドルのうち、第１の切り込み部又は薄肉部は、遊技機の本体の前面に取り付けられる平板部から前側へ突設される円筒状の支持部の内側側面に設けられ、第２の切り込み部又は薄肉部は、支持部の前側端部から略直角に延出される連結部に設けられ、前記第１の切り込み部又は薄肉部を壊すことにより前記可変抵抗器を取り出し可能であると共に、前記第２の切り込み部又は薄肉部を壊すことにより前記戻しコイルバネを取り出し可能である。このため、可変抵抗器及び戻しコイルバネの再利用のための取り出しが容易であり、リサイクルが促進される。
【００４１】
【００４２】
【００４３】
請求項２に係る発明によれば、遊技機の本体から排出された遊技球を受ける上部受け皿の下方に配設される下皿の下面において、前記開口と前記閉じ蓋と前記閉鎖用バネと前記取り付けピンとを囲うように切り込み部又は薄肉部を設けた。このため、切り込み部又は薄肉部を壊すことにより、閉鎖用バネ等の再利用のための取り出しが容易であり、リサイクルが促進される。
【００４４】
【００４５】
【００４６】
【００４７】
【図面の簡単な説明】
【図１】  実施形態に係るパチンコ遊技機全体を示した正面図である。
【図２】  同パチンコ遊技機全体を示す背面図である。
【図３】  そのパチンコ遊技機全体から下皿及びその周辺構成を取り出して示す上面図である。
【図４】  同じく下皿の要部を拡大して示す下面図である。
【図５】  ハンドルを取り出して示す拡大断面図である。
【図６】  他の実施形態に係るハンドルの拡大断面図である。
【符号の説明】
１        パチンコ機
５        下皿
５ａ      操作用取っ手部
５ｄ      閉鎖用バネ
６        ハンドル
５０      可変抵抗器
５１      平板部
５２      ハンドル保持部
５３      把持部材
５４      回転部材
５５      支持部
５６      保持部
５７      連結部
５８      軸
５９      信号線
６０      支持軸
６１      円筒部
６２      板状部
６３      戻しコイルバネ
Ｄ１      切り込み部
Ｋ１      切り込み部
Ｋ３      切り込み部
Ｋ２      薄肉部
Ｋ４      薄肉部
【図１】
0004448980.tif 000002
【図２】
0004448980.tif 000003
【図３】
0004448980.tif 000004
【図４】
0004448980.tif 000005
【図５】
0004448980.tif 000006
【図６】
0004448980.tif 000007